(57)【要約】【課題】本発明は、ＲＣ柱の配筋を単純化することを目的とする。【解決手段】鉄骨柱脚部固定構造１０では、ＲＣ柱２０に埋設された複数の柱主筋２２Ａ，２２Ｂのうち、一部の柱主筋２２ＡがＲＣ柱２０の柱梁仕口部２０Ｓから上方へ突出しており、これらの柱主筋２２Ａに鉄骨柱１２のベースプレート１４が固定されている。【選択図】図１
2015017478.tif 000002
【特許請求の範囲】
【請求項１】
ＲＣ柱に埋設された複数の柱主筋の一部または全部を該ＲＣ柱から上方へ突出させ、突出した前記柱主筋に鉄骨柱固定用のベースプレートを固定した鉄骨柱脚部固定構造。
【請求項２】
前記柱主筋は、前記ＲＣ柱の柱梁仕口部を貫通して該ＲＣ柱から上方へ突出する、
請求項１に記載の鉄骨柱脚部固定構造。
【請求項３】
前記柱主筋は、前記柱梁仕口部から上方へ突出して前記ベースプレートに形成された取付孔に挿入され、該柱主筋に設けられたネジ部にナットが締結されて該柱梁仕口部に前記ベースプレートが固定される、
請求項２に記載の鉄骨柱脚部固定構造。
【発明の詳細な説明】
【技術分野】
【０００１】
本発明は、鉄骨柱脚部固定構造に関する。
【背景技術】
【０００２】
鉄骨柱脚部のベースプレートをアンカー部材としてのネジ鉄筋により鉄筋コンクリート基礎柱体に固定した柱体立設構造が知られている（例えば、特許文献１参照）。
【先行技術文献】
【特許文献】
【０００３】
【特許文献１】特開平３−８４１１９号公報
【発明の概要】
【発明が解決しようとする課題】
【０００４】
ところで、鉄筋コンクリート（以下、「ＲＣ」という）造のＲＣ柱の上に鉄骨柱を立てる場合、アンカーボルト等によって鉄骨柱のベースプレートをＲＣ柱に固定することが考えられる。
しかしながら、アンカーボルト等をＲＣ柱に埋設すると、ＲＣ柱の配筋が複雑化し、施工性が低下する可能性がある。
【０００５】
本発明は、上記の事実を考慮し、ＲＣ柱の配筋を単純化することを目的とする。
【課題を解決するための手段】
【０００６】
請求項１に記載の鉄骨柱脚部固定構造は、ＲＣ柱に埋設された複数の柱主筋の一部または全部を該ＲＣ柱から上方へ突出させ、突出した前記柱主筋に鉄骨柱固定用のベースプレートが固定されている。
【０００７】
請求項１に係る鉄骨柱脚部固定構造によれば、ＲＣ柱から上方へ突出する複数の柱主筋の一部または全部に鉄骨柱固定用のベースプレートが固定される。つまり、本発明では、鉄骨柱固定用のアンカー部材として柱主筋を利用する。
【０００８】
これにより、柱主筋とは別に従来のアンカーボルト等をＲＣ柱に埋設する場合と比較して、ＲＣ柱の配筋が単純化され、納まりが良くなる。したがって、ＲＣ柱の施工性が向上する。
【０００９】
また、柱主筋はＲＣ柱に沿って埋設されるため、従来のアンカーボルト等と比較して柱主筋の定着長さが長くなる。したがって、柱主筋の引抜強度（引張強度）を高めることができる。
【００１０】
請求項２に記載の鉄骨柱脚部固定構造は、請求項１に記載の鉄骨柱脚部固定構造において、前記柱主筋は、前記ＲＣ柱の柱梁仕口部を貫通して該ＲＣ柱から上方へ突出する。
【００１１】
請求項２に係る鉄骨柱脚部固定構造によれば、ＲＣ柱の柱梁仕口部を貫通する柱主筋を鉄骨柱固定用のアンカー部材として利用することにより、従来のアンカーボルト等と比較して定着長さが長くなり、引抜強度（引張強度）が高くなる。したがって、耐震性能が向上する。
【００１２】
請求項３に記載の鉄骨柱脚部固定構造は、請求項２に記載の鉄骨柱脚部固定構造において、前記柱主筋は、前記柱梁仕口部から上方へ突出して前記ベースプレートに形成された取付孔に挿入され、該柱主筋に設けられたネジ部にナットが締結されて該柱梁仕口部に前記ベースプレートが固定される。
【００１３】
請求項３に係る鉄骨柱脚部固定構造によれば、ＲＣ柱の柱梁仕口部から上方へ突出した柱主筋及びナットによって、当該柱梁仕口部に鉄骨柱固定用のベースプレートが固定される。
【００１４】
ここで、柱梁仕口部には、柱主筋だけではなく、梁主筋等も埋設される。この柱梁仕口部に柱主筋等とは別にアンカーボルト等を埋設すると、配筋が複雑化し、その納まりが悪くなる。
【００１５】
これに対して本発明では、柱主筋を鉄骨柱固定用のアンカー部材として利用することにより、柱梁仕口部の配筋を単純化してその納まりを良くすることができる。したがって、柱梁仕口部の施工性が向上する。
【００１６】
また、柱梁仕口部から上方へ突出する柱主筋にネジ部を設けるという簡単な構成により、柱主筋を鉄骨柱固定用のアンカー部材として利用することができる。したがって、コスト削減を図ることができる。
【発明の効果】
【００１７】
以上説明したように、本発明に係る鉄骨柱脚部固定構造によれば、ＲＣ柱の配筋を単純化することができる。
【図面の簡単な説明】
【００１８】
【図１】本発明の一実施形態に係る鉄骨柱脚部固定構造が適用された鉄骨柱及びＲＣ柱を示す図２の１−１線断面図である。
【図２】図１の２−２線断面図である。
【図３】図１に示される鉄骨柱の柱脚部の変形例を示す図１に対応する断面図である。
【図４】参考例を示す図１に対応する断面図である。
【発明を実施するための形態】
【００１９】
以下、図面を参照しながら、本発明の一実施形態に係る鉄骨柱脚部固定構造について説明する。
【００２０】
図１及び図２には、本実施形態に係る鉄骨柱脚部固定構造１０が適用された鉄骨柱１２及びＲＣ柱２０が示されている。鉄骨柱１２は角形鋼管で形成されており、その下端部にベースプレート１４が設けられている。
【００２１】
ベースプレート１４は、鋼板等で略矩形に形成されており、後述するＲＣ柱２０の柱梁仕口部２０Ｓの上面２０Ｓ１に載置されている。また、ベースプレート１４の各角部には、後述する柱主筋２２Ａが挿入される取付孔１６が形成されている。
【００２２】
ＲＣ柱２０は、鉄筋コンクリート造で断面略矩形に形成されており、その柱梁仕口部２０Ｓの両側にＲＣ梁１８の梁端部が接合されている。ＲＣ柱２０の外周部には、複数の柱主筋２２Ａ，２２Ｂ及び複数のせん断補強筋２４が埋設されている。複数の柱主筋２２Ａ，２２Ｂは、ＲＣ柱２０の材軸方向に沿うと共に当該ＲＣ柱２０の略全長に亘って埋設されている。また、複数の柱主筋２２Ａ，２２Ｂは、ＲＣ柱２０の周方向に間隔を空けて埋設されている。
【００２３】
複数のせん断補強筋２４は、ＲＣ柱２０の材軸方向に間隔を空けて配置され、複数の柱主筋２２Ａ，２２Ｂを拘束している。なお、図示を省略するが、柱梁仕口部２０Ｓには、ＲＣ梁１８の梁主筋等も埋設されている。
【００２４】
ここで、複数の柱主筋２２Ａ，２２Ｂのうち、ＲＣ柱２０の角部に位置する柱主筋２２Ａは、ＲＣ梁１８が接合される柱梁仕口部２０Ｓを上下方向に貫通しており、当該柱梁仕口部２０Ｓの上面２０Ｓ１から上方へそれぞれ突出している。これらの柱主筋２２Ａには、鉄骨柱１２のベースプレート１４が固定されている。
【００２５】
一方、隣接する柱主筋２２Ａの間に位置する柱主筋２２Ｂは、柱梁仕口部２０Ｓを貫通しておらず、各々の上端部が柱梁仕口部２０Ｓ内に埋設されている。つまり、本実施形態では、複数の柱主筋２２Ａ，２２Ｂのうち、一部の柱主筋２２Ａがベースプレート１４を柱梁仕口部２０Ｓに固定するアンカー部材としても機能するようになっている。
【００２６】
具体的には、柱主筋２２Ａの上端部は、鉄骨柱１２のベースプレート１４に形成された取付孔１６に挿入されている。この柱主筋２２Ａの上端部には、ネジ部（雄ネジ部）２６が設けられている。このネジ部２６に、ナット（ダブルナット）２８を締結することにより、ベースプレート１４が柱梁仕口部２０Ｓに曲げモーメントを伝達可能に固定されている。すなわち、鉄骨柱１２の柱脚部は、ＲＣ柱２０の柱梁仕口部２０Ｓに剛接合されている。
【００２７】
なお、ベースプレート１４と柱梁仕口部２０Ｓの上面２０Ｓ１との隙間には、モルタル、グラウト等の充填材（ベース充填材）３０が充填されている。この充填材３０によって柱梁仕口部２０Ｓの上面２０Ｓ１の不陸等が吸収可能になっている。また、柱主筋２２Ａとベースプレート１４の取付孔１６との位置ずれを抑制するために、柱梁仕口部２０Ｓの施工時に、結束線や鋼製枠状部材などの拘束部材（位置ずれ抑制手段）で柱主筋２２Ａを拘束しても良いし、柱梁仕口部２０Ｓのコンクリート打設前に複数の柱主筋２２Ａにベースプレート１４を取り付けても良い。また、取付孔１６をルーズ孔（位置ずれ抑制手段）として柱主筋２２Ａの位置ずれを吸収しても良いし、さらには、現場において柱主筋２２Ａの位置に応じてベースプレート１４に取付孔１６を形成することも可能である。
【００２８】
次に、本実施形態の作用について説明する。
【００２９】
本実施形態に係る鉄骨柱脚部固定構造１０によれば、ＲＣ柱２０の柱梁仕口部２０Ｓの上面２０Ｓ１から上方へ突出する複数の柱主筋２２Ａに、鉄骨柱１２のベースプレート１４が固定される。つまり、本実施形態では、ＲＣ柱２０の柱主筋２２Ａを、鉄骨柱１２のベースプレート１４を柱梁仕口部２０Ｓに固定するアンカー部材として利用している。
【００３０】
ここで、ＲＣ柱２０の柱梁仕口部２０Ｓには、柱主筋２２Ａ，２２Ｂ及びせん断補強筋２４だけでなく、ＲＣ梁１８の梁主筋（図示省略）等も埋設される。したがって、柱梁仕口部２０Ｓに、柱主筋２２Ａとは別に従来のアンカーボルト等を埋設すると、柱梁仕口部２０Ｓの配筋が複雑化し、その納まりが悪くなると共に施工性が低下する。
【００３１】
これに対して本実施形態では、前述したように、ＲＣ柱２０の柱主筋２２Ａを、鉄骨柱１２固定用のアンカー部材として利用している。これにより、柱主筋２２Ａとは別に従来のアンカーボルト等を柱梁仕口部２０Ｓに埋設する場合と比較して、柱梁仕口部２０Ｓの配筋が単純化され、その納まりが良くなる。したがって、柱梁仕口部２０Ｓの施工性が向上する。
【００３２】
また、柱主筋２２Ａは、柱梁仕口部２０Ｓを上下方向に貫通し、ＲＣ柱２０の略全長に亘って埋設されるため、従来のアンカーボルト等と比較してその定着長さが長くなる。したがって、柱主筋２２Ａの引抜強度（引張強度）を高めることができる。また、本実施形態では、柱主筋２２Ａによって柱梁仕口部２０に鉄骨柱１２の柱脚部が剛接合されている。この場合、上記のように柱主筋２２Ａの引抜強度を高めることで、地震時の曲げモーメントに対する鉄骨柱１２の柱脚部の回転剛性が高くなり、当該柱脚部の固定度が上がる。したがって、耐震性能が向上する。
【００３３】
さらに、柱梁仕口部２０Ｓから上方へ突出する柱主筋２２Ａの上端部にネジ部２６を設けるという簡単な構成により、柱主筋２２Ａを鉄骨柱固定用のアンカー部材として利用することができる。したがって、コスト削減を図ることができる。
【００３４】
次に、上記実施形態の変形例について説明する。
【００３５】
上記実施形態では、鉄骨柱１２の下端部にベースプレート１４を設けた例を示したが、これに限らない。例えば、図３に示される変形例では、鉄骨柱３２がＨ形鋼で形成されている。この鉄骨柱３２は、一対のフランジ部３２Ａとウェブ部３２Ｂとを有し、ウェブ部３２Ｂの下端部にベースプレート１４から立ち上げられたガセットプレート３４が重ねられた状態で高力ボルト３６及びナット（図示省略）により接合（摩擦接合）されている。
【００３６】
このように鉄骨柱３２の柱脚部の構成は、適宜変更可能である。また、鉄鋼柱としては、丸形鋼管やＣＴ鋼、Ｉ形鋼等を用いても良いし、コンクリート充填鋼管柱（ＣＦＴ）を用いても良い。
【００３７】
なお、図３に示される変形例では、鉄骨柱３２の柱脚部がガセットプレート３４にピン接合または半剛接合されている。この場合、鉄骨柱３２の柱脚部とガセットプレート３４とを剛接合した構成と比較して、接合部を簡易にすることができる。
【００３８】
また、上記実施形態では、ＲＣ柱２０の柱梁仕口部２０Ｓに鉄骨柱１２のベースプレート１４を固定した例を示したが、これに限らない。例えば、柱梁仕口部ではないＲＣ柱の柱頭部に、鉄骨柱１２のベースプレート１４を固定しても良い。
【００３９】
また、上記実施形態では、ＲＣ柱２０の各角部に埋設された柱主筋２２Ａを鉄骨柱１２固定用のアンカー部材として利用した例を示したが、アンカー部材として利用する柱主筋の位置や数は適宜変更可能である。
【００４０】
また、上記実施形態では、複数の柱主筋２２Ａ，２２Ｂのうち、一部の柱主筋２２Ａをアンカー部材として利用した例を示したが、全部の柱主筋２２Ａ，２２Ｂをアンカー部材として利用することも可能である。さらに、柱主筋２２Ａに機械式定着等の定着体を取り付け、ＲＣ柱２０の柱梁仕口部２０Ｓ等に埋設することも可能である。
【００４１】
また、参考例として、図４に示されるように、柱主筋２２Ａをアンカー部材として利用して、ＲＣ柱２０の柱梁仕口部２０Ｓに鉄骨梁４０を固定することも可能である。なお、本参考例では、Ｈ形鋼で形成された鉄骨梁４０のウェブ部４０Ｂに、ベースプレート１４から立ち上げられたガセットプレート３４が重ねられた状態で高力ボルト３６及びナット（図示省略）により接合されている。なお、鉄骨梁４０の下側のフランジ部４０Ａには、ガセットプレート３４が配置される切欠き部４２が形成されている。
【００４２】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００４３】
１０      鉄骨柱脚部固定構造
１２      鉄骨柱
１４      ベースプレート
１６      取付孔
１８      ＲＣ梁
２０      ＲＣ柱
２０Ｓ    柱梁仕口部
２２Ａ    柱主筋
２２Ｂ    柱主筋
２６      ネジ部
２８      ナット
３２      鉄骨柱
【図１】
2015017478.tif 000003
【図２】
2015017478.tif 000004
【図３】
2015017478.tif 000005
【図４】
2015017478.tif 000006